(57)【要約】【課題】本考案は、統合式端子装置を提供する。【解決手段】固定ベースがあり、当該固定ベース上に凹槽が設けられ、当該凹槽の対向する両側に、それぞれ、軌道が設けられ、また、当該凹槽に、二つの軌道により、可動的に、対向する二つの位置に突出柱が設置された接触端子が結合され、接触端子が、最も良い位置に調整可能で、当該固定ベースの角度が調整可能であるため、当該固定ベースにより、有効に、各種類の電池に接触する。【選択図】図１
0003125648.tif 000002
【実用新案登録請求の範囲】
【請求項１】
対向する両側にスピンドルが設けられる固定ベースがあり、
当該固定ベース上に、二つの接触端子が可動的に設置される凹槽が設けられ、
当該二つの接触端子の距離が調整可能で、
当該固定ベースが、回転ヘッドによりスピンドルに連結され、
当該回転ヘッドにより、固定ベースの角度が調整され、
これにより、当該固定ベースにより、異なる電池に有効的に接触することを特徴とする、
統合式端子装置。
【請求項２】
当該凹槽の対向する両側に、二つの接触端子の二つの突出柱を、摺動できるように、嵌合するための軌道が設けられることを特徴とする、請求項１に記載の統合式端子装置。
【請求項３】
当該固定ベース上に設けられた接触端子は、円柱状や針状或いはシート状の何れかの一つであることを特徴とする、請求項１に記載の統合式端子装置。
【請求項４】
固定ベースが設けられ、
当該固定ベースの対向する側に、それぞれ、スピンドルが設けられ、
当該固定ベース上に二つの接触端子が水平結合され、
当該二つの接触端子の結合されていない一端の間隔が、調整可能であることを特徴とする、
統合式端子装置。
【考案の詳細な説明】
【技術分野】
【０００１】
本考案は、各種類の電池販売機や電池交換機、電池充電器或いは類似した構造に適用できる統合式端子装置に関する。
【背景技術】
【０００２】
電子情報器材の発達とともに、携帯電話やディジタルカメラ等の情報製品が大量に登場するが、メーカの運営や設計需要が異なるため、電池が、１メーカ１種類になり、また、電池の入出力端子の位置も様々であり、各種類の電池を充電するためには、各種類の専用充電器を利用しなければ、充電できない。
【０００３】
ユーザーが家に居る場合、電池の電力を補充することが簡単であるが、そうでなければ、身の廻りの電子製品の電池の電力が枯渇すると、ユーザーが当該電子製品を使用できなくなり、この時、ユーザーが新しい電池を買うとしても、新しい電池に電力がないため、所定の時間で電量を補充しなければならず、ユーザーにとって、不便である。
【０００４】
また、ユーザーが、充電器で電池を充電する時間を待つことができるとしても、電池の種類による制限により、電池と同じ種類の充電器が無ければならないから、非常に不便である。
本考案者は、上記の問題を解消するため、慎重に研究することにより、各種類の移動式電子製品の二次電池を充電できる統合式端子装置を提案する。
【考案の開示】
【考案が解決しようとする課題】
【０００５】
本考案の主な目的は、端子が異なる種類や形式の電池の接触端子に接触できる統合式端子装置を提供する。
【０００６】
本考案の他の目的は、電池販売機により販売される電池に、満杯の電量を持たせるための統合式端子装置を提供する。
【０００７】
本考案の更に他の目的は、電池充電器が、異なる種類の電池を充電できるための統合式端子装置を提供する。
【課題を解決するための手段】
【０００８】
上記の目的を達成するため、本願の第１考案は、固定ベースが設けられ、当該固定ベース上に、凹槽が設けられ、当該凹槽の対向する両側に、それぞれ、軌道が設けられ、当該凹槽に、二つの軌道により、可動的に、対向する二つの位置に突出柱が設置された接触端子が結合され、接触端子が、最も良い位置に調整可能で、当該固定ベースの角度が調整可能であるため、当該固定ベースにより、有効に、各種類の電池に接触できる統合式端子装置を提供する。
また、本願の第２考案は、当該凹槽の対向する両側に、二つの接触端子の二つの突出柱を、摺動できるように、嵌合するための軌道が設けられることを特徴とする、第１考案に記載の統合式端子装置を提供する。
また、本願の第３考案は、当該固定ベース上に設けられた接触端子は、円柱状や針状或いはシート状の何れかの一つであることを特徴とする、第１考案に記載の統合式端子装置を提供する。
また、本願の第４考案は、固定ベースが設けられ、当該固定ベースの対向する側に、それぞれ、スピンドルが設けられ、当該固定ベース上に二つの接触端子が水平結合され、当該二つの接触端子の結合されていない一端の間隔が、調整可能であることを特徴とする統合式端子装置を提供する。
【考案を実施するための最良の形態】
【０００９】
以下、図面を参照しながら、具体的な実施例を挙げて説明することにより、本考案の他の特長が分かる。
【実施例】
【００１０】
図１と２は、本考案の統合式端子装置であり、主として、固定ベース１０が設けられ、当該固定ベース１０上に、二つのスピンドル１０１と凹槽１０２が設けられ、当該凹槽１０２の対向する両側に、それぞれ、軌道１０３が設けられ、当該凹槽１０２に、二つの端子１１が、可動的に配置され、当該二つの端子１１の両側に、それぞれ、突出柱１１１が設けられ、当該二つの突出柱１１１により、二つの端子１１が、摺動して位置を調整するように、二つの軌道１０３に設置される。
【００１１】
本考案の統合式端子装置は、電池販売機に結合される時、図３を参照すると、当該電池販売機内に支持テーブル１３とプッシュロッド１４と二つの軌道１５とが設けられる。当該支持テーブル１３の一端が、２段である階段状で、当該プッシュロッド１４が、支持テーブル１３のもう一端に設けられ、階段状の上方に、二つの軌道１５が懸架される。二つの軌道１５が、それぞれ、連接部材１５１と回転ヘッド１５２とにより、固定ベース１０の二つのスピンドル１０１に結合され、これにより、固定ベース１０が軌道１５を摺動でき、また、回転ヘッド１５２により回転できる。
本実施例において、接触端２１が上面に設けられる電池２０を例として説明する。
使用時、複数の電池２０を、接触端２１が前方へ向かうように、支持テーブル１３上に配列し、プッシュロッド１４が前方へ押されると、前方の二つの電池２０が２段の階段に落ちる。この時、二つの軌道１５上の固定ベース１０が、二つの電池２０の前方まで摺動し、当該固定ベース１０上の二つの端子１１が予めに適当な距離に調整されており、当該固定ベース１０が電池２０の前方に移動すると、当該固定ベース１０上の端子１１が、電池２０の接触端２１に接触する。
【００１２】
当該電池販売機は、二つの固定ベース１０の端子１１が二つの電池２０の接触端２１に接触することにより、充電を行う。
充電済みの１番目と２番目の電池２０が、顧客によって買われ、例えば、充電済みの１番目の電池２０が買われると、プッシュロッド１４が前方へ押されて、２段目の階段に位置する電池２０が１段目の階段に落ちて、後方の電池２０が前方へ押されて２段目の階段に落ちる。当該固定ベース１０の端子１１が電池２０の接触端２１に接触すると、当該販売機の制御回路は、まず、電池２０の電量が設定した標準（例えば、蓄蔵電量が６０％〜８０％であるか）に満足するかを測定し、当該１段目の階段に位置する電池２０が、既に過電されたから、その蓄蔵電量が標準を超え、そのため、固定ベース１０の端子１１が、それについて、充電しない。また、２段目の階段に位置する電池２０が、充電されていないから、固定ベース１０の端子１１が、２段目の階段に位置する電池２０に対して充電し、また、例えば、長時間経過しても２段の階段に位置する電池が、売却されない場合は、制御回路により、二つの電池２０の電量が消耗して６０％の標準より低いことを測定した時に、当該端子１１が、再び電池２０に対して充電し、これにより、売却される電池２０が、電量を一杯蓄蔵しているものであることを確保できる。
【００１３】
当該固定ベース１０上の二つの端子１１は、円柱状であるが、シート状でもよく、図４のように、当該二つの端子１１は、一側にスピンドル１１１が貫設されるＬ文字形状シートで、固定ベース１０の凹槽１０２に設置され、また、スピンドル１１１を軌道１０３に設置することにより、二つの端子１１が凹槽１０２内で摺動できる。当該凹槽１０２の二つの末端に、更に、やや深い収納空間が設けられ、これにより、距離が調整された固定ベース１０上の二つの端子１１が、電池２０に接触する時、当該端子１１が、収納空間により、よりよい弾性を有する。
【００１４】
本考案は、電池充電器に実装されることもできる。例えば、電池２０の接触端２１が、上面に設けられ、図３のようであるため、説明を省略する。
また、当該電池２０の接触端２１が、周りに設置される時、図５を参照すると、当該固定ベース１０の両側に、それぞれ、スピンドル１０１が設けられ、当該二つの端子１１が、直接に、固定ベース１０上に水平結合され、使用する時、電池２０の接触端２１の位置に合わせて実装することができ、また、二つの端子１１の固定ベース１０の上面に結合されていない上端が、電池の接触端２１の距離に合わせて調整できる。
【００１５】
以上は、ただ、本考案のよりよい実施例であり、本考案は、それによって制限されず、本技術を良く分かる熟練者であれば、簡単に等価の変更や修正ができ、その変更や修正は、全てが、本考案に係わる実用新案登録請求の範囲内に含まれる。
【図面の簡単な説明】
【００１６】
【図１】本考案の実施例の立体外観図
【図２】本考案の実施例の素子分解図
【図３】本考案を電池販売機に実装する時の使用概念図
【図４】本考案の他の実施例の立体外観図
【図５】本考案の他の実施例の断面図
【符号の説明】
【００１７】
１０      固定ベース
１０１    スピンドル
１０２    凹槽
１０３    軌道
１１      端子
１３      支持テーブル
１４      プッシュロッド
１５      軌道
１５１    連接部材
１５２    回転ヘッド
２０      電池
２１      接触端
【図１】
0003125648.tif 000003
【図２】
0003125648.tif 000004
【図３】
0003125648.tif 000005
【図４】
0003125648.tif 000006
【図５】
0003125648.tif 000007